(57)【特許請求の範囲】
【請求項１】
ワイヤレスローカルエリアネットワーク（ＷＬＡＮ）に関連付けられたレポートをワイヤレスデバイスにおいて生成することであって、該ＷＬＡＮは、該ＷＬＡＮに関連付けられたアクセスポイントに該ワイヤレスデバイスを少なくとも部分的に接続する、ことと、
有線接続を介して、該レポートを該ワイヤレスデバイスから該アクセスポイントに伝送することと
を含み、
該レポートは、該アクセスポイントから受信されたレポートリクエストに応答して生成される、方法。
【請求項２】
前記レポートリクエストは、通知要素を含み、該通知要素は、ユニフォームリソースロケータ（ＵＲＬ）を含む、請求項１に記載の方法。
【請求項３】
前記レポートを伝送するために前記ＵＲＬを使用することをさらに含む、請求項２に記載の方法。
【請求項４】
前記レポートは、前記ＷＬＡＮを介した接続を失うことに基づいて、前記有線接続を介して伝送される、請求項１に記載の方法。
【請求項５】
前記レポートの伝送の前に、前記有線接続の可用性を決定することをさらに含む、請求項１に記載の方法。
【請求項６】
前記レポートは、前記ＵＲＬを使用して前記アクセスポイントに伝送される、請求項２に記載の方法。
【請求項７】
前記レポートを伝送することは、
前記アクセスポイントを介して、該レポートをネットワークマネジャに伝送することをさらに含む、請求項１に記載の方法。
【請求項８】
前記レポートを伝送することは、
前記アクセスポイントを介して、該レポートを受信者に伝送することをさらに含む、請求項１に記載の方法。
【請求項９】
ネットワーク問題を診断するために、前記レポートを使用することをさらに含む、請求項１に記載の方法。
【請求項１０】
前記レポートは、コンテキスト情報にさらに基づく、請求項１に記載の方法。
【請求項１１】
前記コンテキスト情報は、タイムスタンプおよびデバイス位置情報のうちの少なくとも１つを含む、請求項１０に記載の方法。
【請求項１２】
プロセッサを備えているワイヤレスデバイスであって、
該プロセッサは、
レポートリクエストをアクセスポイントから受信することと、
ワイヤレスローカルエリアネットワーク（ＷＬＡＮ）に関連付けられたレポートを生成することであって、該ＷＬＡＮは、該ＷＬＡＮに関連付けられた該アクセスポイントに該ワイヤレスデバイスを少なくとも部分的に接続する、ことと、
有線接続を介して、該レポートを該ワイヤレスデバイスから該アクセスポイントに伝送することと
を行うように構成され、
該プロセッサは、該レポートリクエストに応答して該レポートを生成するようにさらに構成される、ワイヤレスデバイス。
【請求項１３】
前記レポートリクエストは、通知要素を含み、該通知要素は、ユニフォームリソースロケータ（ＵＲＬ）を含む、請求項１２に記載のワイヤレスデバイス。
【請求項１４】
前記プロセッサは、前記レポートの伝送の前に、前記有線接続の可用性を決定するようにさらに構成される、請求項１２に記載のワイヤレスデバイス。
【請求項１５】
前記プロセッサは、前記ＵＲＬを使用して前記レポートを前記アクセスポイントに伝送するように構成される、請求項１３に記載のワイヤレスデバイス。
【請求項１６】
前記レポートは、コンテキスト情報に基づく、請求項１２に記載のワイヤレスデバイス。
【請求項１７】
レポートを要求するリクエストをアクセスポイントからワイヤレスデバイスにおいて受信することであって、該リクエストは、ユニフォームリソースロケータ（ＵＲＬ）を含む、ことと、
ワイヤレスローカルエリアネットワーク（ＷＬＡＮ）に関する該レポートを該ワイヤレスデバイスにおいて生成することであって、該ＷＬＡＮは、該ＷＬＡＮに関連付けられた該アクセスポイントに該ワイヤレスデバイスを少なくとも部分的に接続する、ことと、
該リクエスト内で受信された該ＵＲＬを使用して、有線接続を介して、該レポートを該ワイヤレスデバイスから該アクセスポイントに伝送することと
を含み、
該レポートは、該リクエストに応答して生成される、方法。
【請求項１８】
前記ＵＲＬは、前記リクエストの通知要素内に含まれる、請求項１７に記載の方法。
【請求項１９】
前記レポートは、前記ＷＬＡＮを介した接続を失うことに基づいて、前記有線接続を介して伝送される、請求項１７に記載の方法。
【請求項２０】
前記レポートの伝送の前に、前記有線接続の可用性を決定することをさらに含む、請求項１７に記載の方法。
【請求項２１】
前記レポートを使用してネットワーク問題を診断することをさらに含む、請求項１７に記載の方法。
【請求項２２】
プロセッサを備えているワイヤレスデバイスであって、
該プロセッサは、
レポートを要求するリクエストをアクセスポイントから受信することであって、該リクエストは、ユニフォームリソースロケータ（ＵＲＬ）を含む、ことと、
ワイヤレスローカルエリアネットワーク（ＷＬＡＮ）に関する該レポートを生成することであって、該ＷＬＡＮは、該ＷＬＡＮに関連付けられた該アクセスポイントに該ワイヤレスデバイスを少なくとも部分的に接続する、ことと、
該リクエスト内で受信された該ＵＲＬを使用して、有線接続を介して、該レポートを該ワイヤレスデバイスから該アクセスポイントに伝送することと
を行うように構成され、
該プロセッサは、該リクエストに応答して該レポートを生成するようにさらに構成される、ワイヤレスデバイス。
【請求項２３】
前記ＵＲＬは、前記リクエストの通知要素内に含まれる、請求項２２に記載のワイヤレスデバイス。
【請求項２４】
前記プロセッサは、前記ＷＬＡＮを介した接続を失うことに基づいて、前記有線接続を介して前記レポートを伝送するようにさらに構成される、請求項２２に記載のワイヤレスデバイス。
【請求項２５】
前記プロセッサは、前記レポートの伝送の前に、前記有線接続の可用性を決定するようにさらに構成される、請求項２２に記載のワイヤレスデバイス。
【請求項２６】
前記プロセッサは、前記レポートを使用してネットワーク問題を診断するようにさらに構成される、請求項２２に記載のワイヤレスデバイス。
【発明の詳細な説明】
【技術分野】
【０００１】
（関連出願の参照）
本願は、米国出願第１２／３５５，６１１号（２００９年１月１６日出願）の利益を主張する。該出願の全体は参照により本明細書に援用される。
【０００２】
（技術分野）
本出願は、ワイヤレスネットワーク管理のための方法およびシステムに関し、より具体的には、代替アクセス技術を使用して、ワイヤレスアクセス技術に関する通信を送信または受信するための方法およびシステムに関する。
【背景技術】
【０００３】
モバイル電子デバイスは、ワイヤレスネットワークのアクセスポイントと通信している時にネットワーク接続を有し得る。アクセスポイントに接続するために、モバイル電子デバイスは、ワイヤレスローカルエリアネットワーク（ＬＡＮ）等のワイヤレスアクセス技術を使用する。
【０００４】
ワイヤレスネットワークの機能性能、信頼性、および保全性を拡張するために、モバイル電子デバイス、アクセスポイント、または両方は、ワイヤレスアクセス技術の１つ以上の特性の無線測定を行い得る。所定のアプリケーションは、適切または期待されるレベルの性能を実現するために、これらの無線測定を使用し得る。これらのアプリケーションとして、ボイスオーバインターネットプロトコル（ＶＯＩＰ）、ボイスオーバＩＰ、位置ベースアプリケーション、ならびに、苛酷または厳しい無線環境（例えば、多世帯住居、飛行機、工場、または市政機関）を軽減するアプリケーションが挙げられる。
【発明の概要】
【発明が解決しようとする課題】
【０００５】
次いで、無線測定は、レポートを伝送することによって、受信者に報告される。レポートは、無線測定が行われた同じワイヤレスアクセス技術を通して伝送される。しかしながら、特定の環境において、無線測定が、同じワイヤレスアクセス技術を通して、受信者によって受信されることが可能ではない場合がある。
【課題を解決するための手段】
【０００６】
ワイヤレスネットワーク管理のための例示的な方法およびシステムを説明する。以下の説明において、説明の目的として、例示的な実施形態の完全な理解を提供するために、多数の具体的な詳細が記載される。しかしながら、当業者には、これらの具体的な詳細がなくても本発明の実施形態が実践され得ることが明らかであろう。
【０００７】
モバイル電子デバイスまたはアクセスポイントの形式における局は、ワイヤレスアクセス技術の無線測定を行い得る。ワイヤレスアクセス技術は、モバイル電子デバイスがアクセスポイントと通信している、またはアクセスポイントが別のアクセスポイントと通信している時にワイヤレスネットワークを通したデータ通信を可能にする。次いで、局は、代替アクセス技術を通して、ワイヤレスアクセス技術に関するレポートをレポートの受信者へ伝送する。
【０００８】
ワイヤレスアクセス技術に関するレポートの受信者は、レポートに基づいてワイヤレスネットワークに関連するネットワーク問題を識別し得る。ネットワーク問題が識別されると、受信者は、ワイヤレスアクセス技術を通したワイヤレスネットワークへの接続を変更し得る。受信者は、レポート、ネットワーク問題の識別、または両方に基づいて、ワイヤレスネットワークの他のモバイル電子デバイスへ通知を伝送し得る。受信者は、レポートを受信し、ネットワーク上の１つ以上の他のデバイスへレポートを再伝送し得る。
【０００９】
所望される時、ワイヤレスアクセス技術に関連するワイヤレスネットワークに対し、診断が実行され得る。次いで、診断レポートが生成され、代替アクセス技術を通して、ワイヤレスネットワークに関連するネットワークマネージャへ伝送され得る。
例えば、本発明は以下の項目を提供する。
（項目１）
ワイヤレスアクセス技術の特性の無線測定を実行することと、
代替アクセス技術を通してレポートを伝送することであって、該レポートは、該無線測定に基づく、ことと
を含み、該ワイヤレスアクセス技術は、アクセスポイントに接続されたときにワイヤレスネットワークを通したデータ通信を可能にする、
方法。
（項目２）
上記測定を実行することは、レポートリクエストに応答して実施され、上記レポートは、レポート応答である、項目１に記載の方法。
（項目３）
上記レポートリクエストは、上記代替アクセス技術の可用性に関する通知を含み、該通知は、該代替アクセス技術に関連するユニフォームリソースロケータ（ＵＲＬ）を含む、項目２に記載の方法。
（項目４）
上記ワイヤレスアクセス技術を通して上記アクセスポイントに上記レポートを伝送することと、
該アクセスポイントが該レポートを受信したかどうかを決定することと
をさらに含み、上記代替アクセス技術を通したレポートの伝送は、該アクセスポイントが、該ワイヤレスアクセス技術を通して伝送された該レポートを受信していないという決定に基づく、
項目１に記載の方法。
（項目５）
上記ワイヤレスアクセス技術を通して、あるデータ速度で上記アクセスポイントにデータを伝送することと、
伝送確認応答が該アクセスポイントから受信されたかどうかを決定することと
をさらに含み、上記レポートの伝送は、該伝送確認応答が該アクセスポイントから受信されなかったという確認応答決定に基づく、
項目１に記載の方法。
（項目６）
上記ワイヤレスアクセス技術を通して、あるデータ速度で上記アクセスポイントへデータを伝送することと、
伝送確認応答が該アクセスポイントから受信されなかったという確認応答決定に基づいて、該データ速度をより低いデータ速度に低減することと、
該より低いデータ速度が、速度下限を下回るかどうかを決定することと
をさらに含み、上記レポートの伝送は、該より低いデータ速度が該速度下限を下回るという速度決定に基づく、
項目１に記載の方法。
（項目７）
上記代替アクセス技術の可用性を発見することをさらに含み、上記レポートの伝送は、該発見することに基づく、項目１に記載の方法。
（項目８）
上記レポートの伝送は、上記代替アクセス技術を通して上記アクセスポイントに上記レポートを伝送することを含む、項目１に記載の方法。
（項目９）
上記レポートの伝送は、上記代替アクセス技術を通してネットワークマネージャに上記レポートを伝送することを含む、項目１に記載の方法。
（項目１０）
上記レポートの伝送は、上記代替アクセス技術を通してデバイスマネージャに上記レポートを伝送することを含む、項目１に記載の方法。
（項目１１）
上記代替アクセス技術を通した上記レポートの伝送は、上記ワイヤレスアクセス技術が有効である間に実施される、項目１に記載の方法。
（項目１２）
上記無線測定の実行に対するコンテキスト情報を解明することをさらに含み、上記レポートは、該無線測定および該コンテキスト情報に基づく、項目１に記載の方法。
（項目１３）
上記コンテキスト情報は、タイムスタンプおよびデバイス位置情報のうちの少なくとも１つを含む、項目１２に記載の方法。
（項目１４）
代替アクセス技術を通してワイヤレスアクセス技術に関するレポートを受信することと、
該レポートに基づいて、ワイヤレスネットワークに関連するネットワーク問題を識別することと、
該ネットワーク問題の識別に基づいて、該ワイヤレスアクセス技術を通した該ワイヤレスネットワークへの接続を変更することと
を含む、方法。
（項目１５）
上記ネットワーク問題に関する通知を少なくとも１つのモバイル電子デバイスに伝送することをさらに含む、項目１４に記載の方法。
（項目１６）
上記ワイヤレスネットワークのバックグラウンド測定を実行することをさらに含み、上記ネットワーク問題の識別は、上記レポートおよび該バックグラウンド測定に基づく、項目１４に記載の方法。
（項目１７）
上記接続の変更は、上記ネットワーク問題の識別に基づいて、上記ワイヤレスネットワークに関連するアクセスポイントの伝送パワーを変更することを含む、項目１４に記載の方法。
（項目１８）
ワイヤレスアクセス技術に関連するワイヤレスネットワークに対する診断を実行することと、
該診断の実行に基づいて、診断レポートを生成することと、
代替アクセス技術を通して、該ワイヤレスネットワークに関連するネットワークマネージャに該診断レポートを伝送することと
を含む、方法。
（項目１９）
上記診断の実行に基づいて、付加的なモバイル電子デバイスに通知を伝送することをさらに含む、項目１８に記載の方法。
（項目２０）
ワイヤレスアクセス技術の特性を測定するための無線測定モジュールであって、該ワイヤレスアクセス技術は、アクセスポイントに接続されたときにワイヤレスネットワークを通したデータ通信を可能にする、無線測定モジュールと、
代替アクセス技術を通してレポートを伝送するための伝送モジュールであって、該レポートは、該無線測定モジュールによってなされた該特性の測定に基づく、伝送モジュールと
を備えている、デバイス。
（項目２１）
上記ワイヤレスアクセス技術は、ワイヤレスローカルエリアネットワーク（ＬＡＮ）を含む、項目２０に記載のデバイス。
（項目２２）
上記代替アクセス技術は、ワイヤレス広域ネットワーク（ＷＡＮ）、ワイヤレス大都市圏ネットワーク（ＭＡＮ）、およびワイヤレス地域ネットワーク（ＲＡＮ）から成る群より選択される、項目２０に記載のデバイス。
（項目２３）
上記代替アクセス技術は、付加的なワイヤレスＬＡＮを含む、項目２０に記載のデバイス。
（項目２４）
上記代替アクセス技術は、有線接続を含む、項目２０に記載のデバイス。
（項目２５）
上記代替アクセス技術の可用性は、上記伝送モジュールによる上記レポートの伝送前にプロビジョンされる、項目２０に記載のデバイス。
【図面の簡単な説明】
【００１０】
【図１】図１は、例示的な実施形態による、システムの模式図である。
【図２】図２は、例示的な実施形態による、図１のシステム内部で採用され得る、例示的なレポートサブシステムの模式図である。
【図３】図３および４は、例示的な実施形態による、図１のシステム内部で採用され得る、例示的なレポート処理サブシステムの模式図である。
【図４】図３および４は、例示的な実施形態による、図１のシステム内部で採用され得る、例示的なレポート処理サブシステムの模式図である。
【図５】図５は、例示的な実施形態による、図１のシステム内部で採用され得る、例示的な通知サブシステムの模式図である。
【図６】図６は、例示的な実施形態による、図１のシステム内部で採用され得る、例示的なレポートゲートウェイサブシステムの模式図である。
【図７】図７および８は、例示的な実施形態による、レポート伝送のための方法を示すフローチャートである。
【図８】図７および８は、例示的な実施形態による、レポート伝送のための方法を示すフローチャートである。
【図９】図９は、例示的な実施形態による、診断レポートのための方法を示すフローチャートである。
【図１０】図１０は、例示的な実施形態による、レポート通知のための方法を示すフローチャートである。
【図１１】図１１は、例示的な実施形態による、レポート再伝送のための方法を示すフローチャートである。
【発明を実施するための形態】
【００１１】
図１は、例示的なシステム１００を示し、この中で、モバイル電子デバイス１０２は、ワイヤレスネットワーク１０４のアクセスポイント１０６とワイヤレスアクセス技術を通して通信しようとし得る。通信している時、アクセスポイント１０６は、モバイル電子デバイス１０２にネットワーク接続を提供する。ワイヤレスネットワーク１０４へのアクセスが可能ではない時、モバイル電子デバイス１０２は、代替ネットワーク１０５の異なるワイヤレスアクセス技術を通してネットワーク接続を取得しようとし得る。
【００１２】
モバイル電子デバイス１０２は、ユーザが音声通信またはそれ以外、あるいは両方を通して、データを送信および受信、他者と通信することを可能にする、携帯用電子デバイスである。一実施形態において、モバイル電子デバイス１０２は、通信するために８０２．１１プロトコルを使用することが可能な任意のデバイスであり得る。他のユーザに関連するいくつかの付加的なモバイル電子デバイスもまた、アクセスポイント１０６または付加的なアクセスポイントを通して、ワイヤレスネットワーク１０４と通信し得る。
【００１３】
アクセスポイント１０６および付加的なアクセスポイントは、モバイル電子デバイス１０２と通信している時に、ワイヤレスネットワーク１０４を通してネットワーク接続へのアクセスを可能にする、デバイスである。例えば、モバイル電子デバイス１０２への特定のアクセスポイントの近接性は典型的に、どのアクセスポイントがモバイル電子デバイス１０２にネットワーク接続を提供しようとするかを決定する際の因子である。
【００１４】
システム１００のモバイル電子デバイスおよびアクセスポイントのうちの少なくともいくつかは、ワイヤレスネットワーク１０４を通して通信を提供している、または提供し得るワイヤレスアクセス技術の特性の１つ以上の無線測定を行い得る。無線測定に基づいたレポートは、システム１００の他のデバイスに伝送され、システム１００の他のデバイスによって受信され得る。所定の状況において、レポートは、ワイヤレスアクセス技術を通して伝送されるのではなく、ワイヤレスアクセス技術とは異なる代替アクセス技術を通して伝送される。
【００１５】
モバイル電子デバイスおよびアクセスポイントは、ワイヤレスアクセス技術の特性の無線測定を実行するため、レポートを伝送するため、または両方のために、ワイヤレスアクセス技術を通して（例えば、アクセスポイント１０６に接続されることによって）ネットワーク接続を受信する必要はない。したがって、モバイル技術デバイスおよびアクセスポイントはそれぞれ、独立的で高度な自律エンティティと見なされ得る。一実施形態において、代替アクセス技術を経由して測定を実行し、レポートを伝送するための機能の含有は、モバイル電子デバイス１０２が、測定を実行する（例えば、汚染された帯域で問題が発生）間にアクセスポイント１０６への接続を失う時、またはアクセスポイント１０６に接続されていない時に使用され得る。
【００１６】
特定の実施形態において、ワイヤレスアクセス技術は、ワイヤレスローカルエリアネットワーク（ＬＡＮ）である。ワイヤレスＬＡＮの実施例として、Ｗｉ−Ｆｉ、ＷｉＭａｘ、またはＢｌｕｅｔｏｏｔｈが挙げられる。
【００１７】
代替アクセス技術の例として、ワイヤレスワイドエリアネットワーク（ＷＡＮ）、ワイヤレス大都市圏ネットワーク（ＭＡＮ）、ワイヤレス地域ネットワーク（ＲＡＮ）等が挙げられ得る。一特定実施例において、代替アクセス技術は、付加的なワイヤレスＬＡＮである。別の特定実施形態において、代替アクセス技術は、有線接続である。
【００１８】
いくつかの実施形態において、代替アクセス技術は、（例えば、モバイル電子デバイスが最終的に、代替ネットワーク１０５を通して接続を取得することが可能である時）遅延して使用される。他の実施形態において、代替ネットワーク１０５は、容易に利用可能であり、データは、遅延なく代替アクセス技術を通して送信される。
【００１９】
レポートの１つの潜在的な受信者は、デバイスマネージャ１０８である。システム１００において、デバイスマネージャ１０８は、モバイル電子デバイス１０２および付加的なモバイル電子デバイスを管理するデバイスとして示される。例えば、デバイスマネージャ１０８は、モバイル電子デバイス１０２を含む、いくつかのモバイル電子デバイスのために、電子メール転送サービスを提供し得る。デバイスマネージャ１０８に関連するエンティティによって実施される管理は、例えば、デバイス開発、デバイス実装、デバイス導入、デバイス販売、デバイスブランディング、デバイス管理等を含む、１つ以上のデバイス関連活動に関与し得る。一実施形態において、デバイスマネージャ１０８に関連するエンティティは、デバイスマネージャ１０８の既存のデバイスを向上させるための基礎として、または今後のデバイスの設計または機能を向上させるための基礎として、受信したレポートを使用する。
【００２０】
レポートの別の潜在的な受信者は、ネットワークマネージャ１１２である。ネットワークマネージャ１１２は、システム１００において、ワイヤレスネットワーク１０４を管理するデバイスとして示される。一実施形態において、ネットワークマネージャ１１２は、サービスの品質に影響を与えるネットワーク問題を識別し、解決しようとする（例えば、ワイヤレスネットワーク１０４へのデータ速度または接続性）。ネットワークマネージャ１１２の実施例として、スイッチおよびコントローラが挙げられる。デバイスマネージャ１０８およびネットワークマネージャ１１２は、同じエンティティまたは異なるエンティティによって運用され得る。
【００２１】
いくつかの実施形態において、アクセスポイント１０６、デバイスマネージャ１０８、およびネットワークマネージャ１１２は、ネットワーク１１０上で通信している。モバイル電子デバイス１０２によってリクエストされた、システム１００の外側にあるデータは、ネットワーク１１０を通して受信され得る。
【００２２】
図１には、それぞれのデバイスに機能を提供するために、いくつかのサブシステム１１４〜１２０がシステム１００の多様な要素の中に採用されているとして示される。しかしながら、いくつかの実施形態において、より少ない数のサブシステムが特定のデバイスの中に採用され得る。例えば、所定の実施形態において、システム１００のいくつかのデバイスは、サブシステム１１４〜１２０を一切含まなくてもよい。いくつかの実施形態において、複数のサブシステムの基底のモジュールは、デバイスのうちのいくつかで単一のサブシステムに組み合わされ得る。
【００２３】
レポートサブシステム１１４は、モバイル電子デバイス１０２の中に採用される時、ワイヤレスネットワーク１０４に関連するワイヤレスアクセス技術の特性の１つ以上の無線測定を実行する。ワイヤレスアクセス技術によって、モバイル電子デバイス１０２は、アクセスポイントのうちの１つ（例えば、アクセスポイント１０６）に接続された時、ワイヤレスネットワーク１０４を通してデータを通信させることが可能になる。次いで、無線測定に基づくレポートは、最終的に、ワイヤレスアクセス技術を通して伝送されず、アクセスポイント１０６、デバイスマネージャ１０８、またはネットワークマネージャ１１２によって受信されない。そうではなく、レポートは、ワイヤレスアクセス技術とは異なる代替アクセス技術を通して、レポートサブシステム１１４によって伝送される。
【００２４】
無線測定は、特定の帯域幅を有する特定の周波数または周波数チャネルに同調しているモバイル電子デバイス１０２のレポートサブシステム１１４の結果である。次いで、サポートサブシステム１１４の無線は、チャネルをリッスンし、エネルギーの存在に対するエーテルまたは自由空間を感知しようとする。次いで、無線は、測定し、一実施形態において、無線構成要素のアンテナに対するそのエネルギーを内部に記録し得る。信号エネルギーが全く存在しない場合、無線は、測定し、無線のノイズフロアを記録するか、または動作のようにノイズを特性付けようとし得る。次いで、レポートサブシステム１１４は、信号エネルギーが存在するかどうかを決定するために、エネルギーを識別し、復調しようとする。成功および失敗の結果は、内部に記録され得る。次いで、レポートサブシステム１１４は、信号エネルギー内に含まれた情報を復調する。次いで、結果の情報が記録され得る。復調された情報に関するこれらの無線測定は、モバイル電子デバイス１０２の無線に、現在聞くことができる領域の認識を与えることになる。これらの無線測定は、個別の測定として実行され得、またはデータ収集ルーチンを通して処理され得る。これらの無線測定は、タイムスタンプを含み得、またはレポートサブシステム１１４によってそれらに追加されたタイムスタンプを有し得る。
【００２５】
レポートサブシステム１１４によってなされるノイズエネルギー関連の無線測定は、干渉を検出することのない平均、ピーク、最低、実際の無線のノイズフロアパワー；干渉を検出している間の平均、ピーク、最低、実際の無線のノイズフロアパワー；および干渉を検出している間の無線のノイズフロアパワーの一時的／持続的情報、のうちの測定の１つ以上を含み得る。
【００２６】
レポートサブシステム１１４によってなされる信号エネルギー関連の無線測定は、干渉を検出することのない平均、ピーク、最低、実際の無線信号パワー；（信号の）干渉を検出している間の平均、ピーク、最低の無線信号パワー；および（信号の）干渉を検出している間の無線信号パワーの一時的／持続的情報、のうちの測定の１つ以上を含み得る。
【００２７】
レポートサブシステム１１４によってなされるネットワークまたはネットワーク認識関連の無線測定は、エラー、成功、レポート、ネットワーク負荷、エーテル占有時間、時間関連情報、隣接情報（例えば、感知できる他のアクセスポイント）、ネットワーク識別子情報（ＳＳＩＤ／ＢＳＳＩＤ−単数または複数）、セキュリティ構成、セキュリティエラー、セキュリティ攻撃／警告および対策、位置情報、感知する無線のトランスミッタパワー出力構成および／またはその独自のトランスミッタ能力出力構成、サービスクラス関連情報、サービス品質関連情報、利用可能な承認容量情報、診断関連情報、テスト関連情報、トラフィック生成情報、スリープモード構成情報、アンテナ構成、複数入力および複数出力（ＭＩＭＯ）無線構成および能力、再構成回数、１つのネットワークから別のネットワークへローミングする回数等の測定のうちの１つ以上を含み得る。ワイヤレスアクセス技術の他の特性の測定もなされ得る。
【００２８】
接続変更サブシステム１１６は、アクセスポイント１０６、デバイスマネージャ１０８、または両方の中に採用され得る。接続変更サブシステム１１６は、ワイヤレスネットワーク１０４に関連するネットワーク問題の識別に基づいて、ワイヤレスアクセス技術を通してワイヤレスネットワーク１０４への接続を変更する。
【００２９】
診断サブシステム１１７は、アクセスポイント１０６、デバイスマネージャ１０８、または両方の中に採用され得る。診断サブシステム１１７は、ワイヤレスネットワーク１０４上で実行している診断に基づいて、診断レポートを生成する。次いで、診断レポートは、問題を解決するためにネットワークマネージャ１１２に伝送され、ネットワークマネージャ１１２によって使用され得、または、レポートはそれ以外で、ワイヤレスネットワーク１０４を向上するために使用され得る。
【００３０】
通知サブシステム１１８がデバイスマネージャ１０８の中に採用される時、付加的なモバイル電子デバイスは、電子モバイルデバイス１０２によって実行された無線測定に基づいて、ワイヤレスアクセス技術またはネットワーク問題に関するレポートについて通知され得る。
【００３１】
レポートゲートウェイサブシステム１２０は、モバイル電子デバイス１０２から受信したレポートをアクセスポイント１０６、ネットワークマネージャ１１２、またはアクセスポイント１０６およびネットワークマネージャ１１２の両方に再伝送する。
【００３２】
図２は、モバイル電子デバイス１０２、アクセスポイント１０６の中に採用され得る、またはそれ以外に別のシステムの中に採用され得る、例示的なレポートサブシステム１１４を示す。レポートサブシステム１１４には、レポートを可能にするように１つ以上のモジュールが含まれる。レポートサブシステム１１４のモジュールは、レポートリクエスト受信モジュール２０２、イベント決定モジュール２０４、無線測定モジュール２０６、コンテキスト情報モジュール２０８、可用性モジュール２１０、アクセス技術決定モジュール２１２、技術切替モジュール２１４、伝送モジュール２１６、データ速度低減モジュール２１８、レポート受信モジュール２２０、確認応答決定モジュール２２２、および速度下限決定モジュール２２４を含み得る。他のモジュールも含まれ得る。
【００３３】
レポートリクエストは、レポートリクエスト受信モジュール２０２によって受信され得る。一部の実施形態において、レポートリクエストは、代替アクセス技術の可用性に関する通知を含み得る。通知は、ＩＥＥＥ８０２．１１ｋ−２００８またはＰ８０２．１１ｖによって定義されるリクエストの副要素の中に含まれ得る。特定の実施形態において、通知は、代替アクセス技術に関連するユニフォームリソースロケータ（ＵＲＬ）を含む。他の実施形態において、ＵＲＬまたは他のタイプの通知は、代替アクセス技術を通して接続を可能にするように、ネットワーク構成の一部として、デバイス（例えば、モバイル電子デバイス１０２またはアクセスポイント１０６）上でプロビジョンされる。例えば、ネットワーク構成は、サービスセット識別子（ＳＳＩＤ）、セキュリティ証明書、およびＵＲＬを含み得る。
【００３４】
いくつかの実施形態において、イベントの発生は、イベント決定モジュール２０４によって決定され得る。イベントは、デバイスイベント、ネットワークイベント等であり得る。ワイヤレスアクセス技術の特性の１つ以上の無線測定は、無線測定モジュール２０６によって実行され得る。一実施形態において、無線測定は、レポートリクエスト受信モジュール２０２に応答して実行され得る。別の実施形態において、無線測定は、イベントの発生が起こったという、イベント決定モジュール２０４による決定に応答して実行され得る。
【００３５】
いくつかの実施形態において、無線測定の実行に関するコンテキスト情報は、コンテキスト情報モジュール２０８によって解明される。コンテキスト情報は、無線測定モジュール２０６によって、無線測定がどのように、またはいつ実行されたかに関し得る。
【００３６】
レポートサブシステム１１４の中に提供される時、可用性モジュール２１０は、代替アクセス技術の可用性を発見するか、または代替アクセス技術の可用性の指標を受信する。
【００３７】
無線アクセス技術または代替アクセス技術を通して無線測定に基づいたレポートを伝送するかどうかの決定は、特定の実施形態において、アクセス技術決定モジュール２１２によって実行される。決定は、所定の条件が満たされるかどうかに基づいてなされ得る。
【００３８】
レポートサブシステム１１４が採用されているデバイスに依存して、技術切替モジュール２１４は、ワイヤレスアクセス技術へのアクセスを無効にする、または代替アクセス技術へのアクセスを有効にするために含まれ得る。他のデバイスにおいて、代替アクセス技術を通したレポートの伝送は、ワイヤレスアクセス技術が有効である間に実施され得る。実施は、デュアルモードデバイスであるデバイスに基づき得る。
【００３９】
レポートは、ワイヤレスアクセス技術上で実行された１つ以上の無線測定、およびいくつかの実施形態においては、コンテキスト情報に基づいて、伝送モジュール２１６によって、代替アクセス技術を通して伝送される。レポートは、代替アクセス技術を通して、アクセスポイント１０６、ネットワークマネージャ１１２、またはデバイスマネージャ１０８へ伝送され得る。したがって、代替アクセス技術は、所望の受信者にレポートを伝送するための代替運搬機構として機能し得る。
【００４０】
いくつかの実施形態において、伝送モジュール２１６は、まず、ワイヤレスアクセス技術を通して、アクセスポイント１０６へレポートを伝送しようとするか、または、まず、ワイヤレスアクセス技術を通して、あるデータ速度でアクセスポイント１０６へデータを伝送し得る。そのようなレポートの伝送は、代替アクセス技術を通したレポートの伝送の先駆けであり得る。
【００４１】
一実施形態において、レポートサブシステム１１４が採用される特定の付加的なアクセスポイントが、アクセスポイント１０６へレポートを伝送する。伝送されたレポートは、隣接レポートであってもよく、または異なる形式であり得る。
【００４２】
代替アクセス技術を使用する前に、いくつかの実施形態においては、伝送確認応答がアクセスポイント１０６から受信されなかったという決定に基づいて、データ速度低減モジュール２１８によってデータ速度が低減される。データ速度低減は、ワイヤレスアクセス技術上でデータ（例えば、レポートまたはレポートに先行する他のデータ）を依然として伝送しようとする試みであり得る。
【００４３】
特定の実施形態において、代替アクセス技術の可用性は、伝送モジュール２１６によるレポートの伝送前に（例えば、モバイル電子デバイス１０２またはアクセスポイント１０６上で）プロビジョンされる。
【００４４】
レポート受信モジュール２２０は、アクセスポイント１０６がレポートを受信したかどうかを決定するために使用され得る。伝送確認応答がアクセスポイント１０６から受信されたかどうかの決定は、確認応答決定モジュール２２２によって実行され得る。
【００４５】
特定の実施形態において、下限速度決定モジュール２２４は、より低いデータ速度が下限速度を下回るかどうかを決定する。より低いデータ速度が下限速度を下回る場合、伝送モジュール２１６は、ワイヤレスアクセス技術ではなく代替アクセス技術を通して、ワイヤレスアクセス技術に基づいたレポートを伝送する。
【００４６】
図３は、システム１００のアクセスポイント１０６、ネットワークマネージャ１１２、または両方（図１を参照）の中に採用されても、またはそれ以外に別のシステムの中に採用され得る、例示的な接続変更サブシステム１１６を示す。接続変更サブシステム１１６の中には、レポート処理を可能にするように１つ以上のモジュールが含まれる。接続変更サブシステム１１６のモジュールは、リクエスト提供モジュール３０２、レポート受信モジュール３０４、伝送確認応答モジュール３０６、バックグラウンド測定モジュール３０８、ネットワーク問題識別モジュール３１０、接続モジュール３１２、および通知モジュール３１４を含み得る。他のモジュールも含まれ得る。
【００４７】
レポートリクエストは、リクエスト提供モジュール３０２によって、モバイル電子デバイス１０２へ伝送される。レポートリクエストは、ワイヤレスアクセス技術の１つ以上の無線測定を実行するように、モバイル電子デバイス１０２に指示する。
【００４８】
ワイヤレスアクセス技術に関するレポートは、レポート受信モジュール３０４によって、代替アクセス技術を通してモバイル電子デバイス１０２から受信される。受信されたレポートは、リクエスト提供モジュール３０２によって伝送されるレポートリクエストに応答して受信されるレポート応答であり得る。一実施形態において、アクセスポイント１０６またはネットワークマネージャ１１２によって受信されるレポートは、モバイル電子デバイス１０２からである。別の実施形態において、レポートは、アクセスポイント１０６によって、ネットワークマネージャ１１２から受信される。
【００４９】
いくつかの実施形態において、確認応答は、レポートの受信に基づいて、伝送確認応答モジュール３０６によって、モバイル電子デバイス１０２へ伝送され得る。
【００５０】
所定の実施形態において、ワイヤレスネットワーク１０４の１つ以上のバックグラウンド測定は、バックグラウンド測定モジュール３０８によって実行される。例示的なバックグラウンド測定は、ワイヤレスネットワーク１０４に重複するレーダーの存在を決定することである。
【００５１】
ワイヤレスネットワーク１０４に関連するネットワーク問題は、レポート、バックグラウンド測定、または両方に基づいて、ネットワーク問題識別モジュール３１０によって識別され得る。ネットワーク問題は、受信不良、マイクロ波からの干渉、壁、他のワイヤレス技術等の結果であり得る。
【００５２】
ワイヤレスアクセス技術を通したワイヤレスネットワーク１０４の接続は、ネットワーク問題の識別に基づいて、接続モジュール３１２によって実行されるか、または変更され得る。変更は、例えば、ワイヤレスネットワーク１０４に１つ以上のアクセスポイントを追加すること、アクセスポイント１０６の伝送パワーを増加または減少すること、等を含み得る。
【００５３】
いくつかの実施形態において、ネットワーク問題、ワイヤレスネットワーク１０４のステータス、アクセスポイントのステータス等に関する通知は、通知モジュール３１４によって付加的なモジュール電子デバイスへ伝送され得る。
【００５４】
図４は、システム１００のアクセスポイント１０６、デバイスマネージャ１０８（図１を参照）の中に採用されるか、または別のシステムの中に採用され得る、例示的な診断サブシステム１１７を示す。診断サブシステム１１７には、診断レポートを可能にするように１つ以上のモジュールが含まれる。診断サブシステム１１７のモジュールは、リクエスト受信モジュール４０２、診断モジュール４０４、診断レポート生成モジュール４０６、診断レポート伝送モジュール４０８、および通知モジュール４１０を含み得る。他のモジュールも含まれ得る。
【００５５】
診断レポートリクエストは、リクエスト受信モジュール４０２によって受信される。診断モジュール４０４は、ワイヤレスアクセス技術に関連するワイヤレスネットワーク１０４に対して診断を実行する。ワイヤレスネットワーク１０４に対する診断の実行は、診断レポートリクエストの受信に基づき得る。
【００５６】
診断レポート生成モジュール４０６は、診断の実行に基づいて、診断レポートを生成する。次いで、診断レポートは、診断レポート伝送モジュール４０８によって、代替アクセス技術を通してネットワークマネージャ１１２へ伝送され得る。いくつかの実施形態において、通知は、診断の実行に基づいて、通知モジュール４１０によって付加的なモバイル電子デバイスへ伝送される。
【００５７】
図５は、システム１００のアクセスポイント１０６、デバイスマネージャ１０８、またはアクセスポイント１０６およびデバイスマネージャ１０８の両方（図１を参照）の中に採用されるか、または別のシステムの中に採用され得る、例示的な通知サブシステム１１８を示す。通知サブシステム１１８には、診断の伝送を可能にするように１つ以上のモジュールが含まれる。通知サブシステム１１８のモジュールは、レポート受信モジュール５０２、ネットワーク問題識別モジュール５０４、および通知伝送モジュール５０６を含み得る。他のモジュールも含まれ得る。
【００５８】
ワイヤレスアクセス技術に関するレポートは、レポート受信モジュール５０２によって、代替アクセス技術を通してモバイル電子デバイス１０２から受信される。いくつかの実施形態において、次いで、ワイヤレスネットワーク１０４のネットワーク問題は、レポートに基づいて、ネットワーク問題識別モジュール５０４によって識別される。
【００５９】
次いで、通知が、レポート、ネットワーク問題、または両方に基づいて、通知伝送モジュール５０６によって、付加的なモバイル電子デバイスへ伝送され得る。通知は、ワイヤレスアクセス技術を通して、代替アクセス技術を通して、ワイヤレスアクセス技術および代替アクセス技術の両方を通して、付加的なモバイル電子デバイスへ伝送され得、またはそれ以外に提供され得る。通知は、ワイヤレスアクセス技術に関連するワイヤレスネットワーク１０４に対する低いネットワーク優先度を含む。
【００６０】
図６は、システム１００のデバイスマネージャ１０８（図１を参照）の中に採用されるか、または別のシステムの中に採用され得る、例示的なレポートゲートウェイサブシステム１２０を示す。レポートゲートウェイサブシステム１２０には、レポートの再伝送を可能にするように１つ以上のモジュールが含まれる。レポートゲートウェイサブシステム１２０のモジュールは、レポート受信モジュール６０２、アクセスポイント識別モジュール６０４、ネットワークマネージャ識別モジュール６０６、およびレポート伝送モジュール６０８を含み得る。他のモジュールも含まれ得る。
【００６１】
ワイヤレスアクセス技術に関するレポートは、レポート受信モジュール６０２によって、代替アクセス技術を通してモバイル電子デバイス１０２から受信される。
【００６２】
次いで、レポートに関連するアクセスポイント１０６は、アクセスポイント識別モジュール６０４によって識別される。いくつかの実施形態において、アクセスポイント１０６に関連するネットワークマネージャ１１２は、ネットワークマネージャ識別モジュール６０６によって識別される。
【００６３】
次いで、レポートは、アクセスポイント１０６、ネットワークマネージャ１１２、またはアクセスポイント１０６およびネットワークマネージャ１１２の両方の識別に基づいて、レポート伝送モジュール６０８によって伝送される。レポートは、データトンネルを通して伝送され得、またはそれ以外で伝送され得る。
【００６４】
図７は、例示的な実施形態による、レポート伝送のための方法７００を示す。方法７００は、システム１００のモバイル電子デバイス１０２（図１を参照）によって実施され得、またはそれ以外で実施され得る。
【００６５】
ブロック７０２で、レポートリクエストが受信され得る。レポートは、アクセスポイント１０６、ネットワークマネージャ１１２、またはデバイスマネージャ１０８から受信され得る。一実施形態において、レポートリクエストは、代替アクセス技術の可用性に関する通知を含む。通知は、ユニフォームリソースロケータ（ＵＲＬ）、ネットワーク名、または他の情報を含み得る。
【００６６】
ブロック７０４で、ワイヤレスアクセス技術の特性の無線測定が実行される。無線測定の実行は、レポートリクエストの受信に応答し得る。一実施形態において、ワイヤレスネットワーク１０４の特性の無線測定は、一時点でのワイヤレスネットワーク１０４の性能の推定である。
【００６７】
一実施形態において、イベントの発生が決定され、無線測定の実行は、発生の決定に応答して行われる。イベントは、デバイスイベント、ネットワークイベント等を含み得る。デバイスイベントは、所定時間、新しいワイヤレスネットワークの範囲内に入ること、ワイヤレスネットワーク１０４との所定の接続時間量等に基づき得る。一実施形態において、ネットワークイベントは、衛星または他のネットワーク干渉に基づき得る。
【００６８】
ブロック７０６で、無線測定の実行に関するコンテキスト情報が作成される。コンテキスト情報は、例として、タイムスタンプ、デバイス位置情報（例えば、グローバルポジショニングシステム（ＧＰＳ）の位置）等を含み得る。
【００６９】
ブロック７０８で、代替アクセス技術の可用性が決定され得る。一実施形態において、可用性は、代替アクセス技術または代替ネットワーク１０５の可用性を発見しようとすることによって決定される。別の実施形態において、可用性は、代替アクセス技術または代替ネットワーク１０５の可用性の指標を受信することによって決定される。
【００７０】
ブロック７１０で、レポートが、代替アクセス技術を通して伝送される。レポートは、無線測定、コンテキスト情報、または無線測定およびコンテキスト情報の両方に基づく。レポートは、レポートリクエストに応答して送信されるレポート応答であり得る。レポートリクエストは、代替アクセス技術の可用性に関する通知を含み得る。レポートは、アクセスポイント１０６、ネットワークマネージャ１１２、またはデバイスマネージャ１０８へ伝送され得る。
【００７１】
レポートは、多様な理由のために、ワイヤレスアクセス技術ではなく、代替アクセス技術を通して伝送され得る。一実施形態において、レポートは、ワイヤレスアクセス技術を通して、アクセスポイント１０６へ伝送される。次いで、アクセスポイント１０６または他の目的の受信者がレポートを受信したかどうかについての決定が実行される。レポートの伝送は、アクセスポイント１０６または他の目的の受信者が、ワイヤレスアクセス技術を通して伝送されたレポートを受信していないという決定に基づいて、代替アクセス技術を通して実行される。
【００７２】
別の実施形態において、データは、ワイヤレスアクセス技術を通して、あるデータ速度でアクセスポイントへ伝送される。次いで、伝送確認応答がアクセスポイント１０６から受信されたかどうかに関する決定が実行される。次いで、データ速度は、伝送確認応答がアクセスポイント１０６から受信されなかったという決定に基づいて、より低いデータ速度に低減される。より低いデータ速度が速度下限を下回る場合、レポートの伝送は、代替アクセス技術を通して実行される。
【００７３】
別の実施形態において、レポート伝送は、ワイヤレスアクセス技術ではなく、代替アクセス技術を通してレポートを伝送するという決定に基づいて実行される。代替アクセス技術を通して伝送するという決定は、ワイヤレスアクセス技術のそれぞれのコスト、アクセス技術のうちの１つ以上のそれぞれの伝送速度またはサービスの品質、アクセス技術のうちの１つ以上の可用性に基づいて実行され得、またはそれ以外で実行され得る。
【００７４】
モバイル電子デバイス１０２によってサポートされる時、レポートは、モバイル電子デバイス１０２から、デュアルモードで伝送され得る。つまり、ワイヤレスアクセス技術がモバイル電子デバイス１０２上で有効である間に、代替アクセス技術を通したレポートの伝送が次いで実施される。
【００７５】
レポートは、モバイル電子デバイス１０２がデュアルモードにない、またはデュアルモードをサポートしない時であっても、モバイル電子デバイス１０２から伝送され得る。例えば、ワイヤレスアクセス技術へのアクセスが無効になり、代替アクセス技術へのアクセスが有効になる。次いで、伝送は、代替アクセス技術を通して送信される。
【００７６】
図８は、例示的な実施形態による、レポート伝送のための方法８００を示す。方法８００は、システム１００のアクセスポイント１０６またはネットワークマネージャ１１２（図１を参照）によって実施され得、またはそれ以外で実施され得る。
【００７７】
ブロック８０２で、レポートリクエストは、モバイル電子デバイス１０２へ伝送される。ブロック８０４で、ワイヤレスアクセス技術に関するレポートが、代替アクセス技術を通して受信される。レポートは、モバイル電子デバイス１０２、またはネットワークマネージャ１１２から受信され得る。例えば、レポートは、アクセスポイント１０６によって、ネットワークマネージャ１１２またはモバイル電子デバイス１０２から受信され得、あるいは、レポートは、ネットワークマネージャ１１２によって、アクセスポイント１０６またはモバイル電子デバイス１０２から受信され得る。レポートは、レポートリクエストに応答して、モバイル電子デバイス１０２から受信され得る。ブロック８０６で、確認応答は、レポートの受信に基づいて、モバイル電子デバイス１０２へ伝送され得る。
【００７８】
ブロック８０８で、ワイヤレスネットワーク１０４のバックグラウンド測定が実行され得る。バックグラウンド測定は、特定の実施形態において、レーダー信号の存在を検出し得る。
【００７９】
ブロック８１０で、ワイヤレスネットワーク１０４でのネットワーク問題がレポート、バックグラウンド測定、または両方に基づいて識別される。例示的ネットワーク問題は、受信不良、マイクロ波干渉、予想外の壁、その他のワイヤレス技術等を含む。
【００８０】
ブロック８１２で、ワイヤレスアクセス技術を通したワイヤレスネットワーク１０４への接続は、ネットワーク問題の識別に基づいて、変更される。接続の変更は、一例示的な実施形態において、ワイヤレスネットワーク１０４の性能を最適化することを含み得る。別の実施形態において、接続は、１つ以上の付加的なアクセスポイントを有効にするか、またはワイヤレスネットワーク１０４へ追加することによって、変更される。また別の実施形態において、ワイヤレスネットワークに関連するアクセスポイントの伝送パワー（例えば、アクセスポイント１０６、付加的なアクセスポイントのうちの１つ以上、または両方）は、増加または減少され得る。
【００８１】
ブロック８１４で、ネットワーク問題に関する通知は、モバイル電子デバイス１０２、付加的なモバイル電子デバイス、または両方へ伝送され得る。
【００８２】
図９は、例示的な実施形態による、診断レポートのための方法９００を示す。方法９００は、システム１００のアクセスポイント１０６またはデバイスマネージャ１０８（図１を参照）によって実施され得、またはそれ以外で実施され得る。
【００８３】
ブロック９０２で、診断レポートリクエストが受信され得る。ブロック９０４で、診断は、ワイヤレスアクセス技術に関連するワイヤレスネットワーク１０４に対して実行される。診断は、診断レポートリクエストを受信することに応答して実行され得る。
【００８４】
ブロック９０６で、診断レポートは、診断の実行に基づいて生成される。ブロック９０８で、診断レポートは、代替アクセス技術を通して、ワイヤレスネットワーク１０４に関連するネットワークマネージャ１１２へ伝送される。
【００８５】
ブロック９１０で、通知は、診断の実行に基づいて、付加的なモバイル電子デバイスへ伝送され得る。
【００８６】
図１０は、例示的な実施形態による、レポート通知のための方法１０００を示す。方法１０００は、システム１００のアクセスポイント１０６またはデバイスマネージャ１０８（図１を参照）によって実施され得、またはそれ以外で実施され得る。
【００８７】
ブロック１００２で、ワイヤレスアクセス技術に関するレポートは、代替アクセス技術を通してモバイル電子デバイス１０２から受信される。ブロック１００４で、レポートに基づいて、ワイヤレスネットワーク１０４のネットワーク問題が識別され得る。
【００８８】
ブロック１００６で、通知は、レポート、ネットワーク問題、または両方に基づいて、付加的なモバイル電子デバイスへ伝送される。一実施形態において、通知は、ワイヤレスアクセス技術に関連するワイヤレスネットワーク１０４に対する低いネットワーク優先度を含む。通知は、ワイヤレスアクセス技術、代替アクセス技術、または異なるアクセス技術を通して伝送される。
【００８９】
図１１は、例示的な実施形態による、レポート再伝送のための方法１１００を示す。方法１１００は、システム１００のデバイスマネージャ１０８（図１を参照）によって実施され得、またはそれ以外で実施され得る。
【００９０】
ブロック１１０２で、ワイヤレスアクセス技術に関するレポートは、代替アクセス技術を通してモバイル電子デバイス１０２から受信される。
【００９１】
ブロック１１０４で、レポートに関連するアクセスポイント１０６が識別される。ブロック１１０６で、アクセスポイント１０６に関連するネットワークマネージャ１１２が識別され得る。
【００９２】
ブロック１１０８で、レポートは、アクセスポイント１０６、ネットワークマネージャ１１２、またはアクセスポイント１０６およびネットワークマネージャ１１２の両方の識別に基づいて、伝送される。レポートは、アクセスポイント１０６またはネットワークマネージャ１１２へ伝送される。レポートは、データトンネルを通して伝送され得、またはそれ以外で伝送され得る。
【００９３】
本明細書において、所定のシステム、装置、アプリケーション、またはプロセスは、いくつかのモジュールを含むと説明される。モジュールは、ソフトウェア、ハードウェア、またはこれらの組み合わせにおいて存在し得る、個別の機能のユニットであり得る。モジュールの機能がソフトウェアを通していずれかの部分で実施される時、モジュールは、マシン可読媒体を含む。モジュールは、通信可能に連結されていると考えられ得る。
【００９４】
発明の主題は、多数の可能な置換が存在する、多種多様な実施形態において示され得る。
【００９５】
例示的な実施形態において、無線アクセス技術の特性の無線測定が実行され得る。ワイヤレスアクセス技術は、アクセスポイントに接続される時にワイヤレスネットワークを通してデータ通信を可能にし得る。レポートは、代替アクセス技術を通して伝送され得る。レポートは、無線測定に基づき得る。
【００９６】
例示的な実施形態において、ワイヤレスアクセス技術に関するレポートは、代替アクセス技術を通して受信され得る。ネットワーク問題は、レポートに基づいてワイヤレスネットワークで識別され得る。ワイヤレスアクセス技術を通したワイヤレスネットワークへの接続性は、ネットワーク問題の識別に基づいて、変更され得る。
【００９７】
例示的な実施形態において、診断は、ワイヤレスアクセス技術に関連するワイヤレスネットワークに対して実行され得る。診断レポートは、診断の実行に基づいて生成され得る。診断レポートは、代替アクセス技術を通してワイヤレスネットワークに関連するネットワークマネージャへ伝送され得る。
【００９８】
例示的な実施形態において、ワイヤレスアクセス技術に関するレポートは、代替アクセス技術を通して、モバイル電子デバイスから受信され得る。通知は、レポートに基づいて、複数の付加的なモバイル電子デバイスに伝送され得る。
【００９９】
例示的な実施形態において、ワイヤレスアクセス技術に関するレポートは、モバイル電子デバイスによって、代替アクセス技術を通して受信され得る。レポートに関連するアクセスポイントは、識別され得る。アクセスポイントは、ワイヤレスアクセス技術に関連し得る。レポートは、アクセスポイントの識別に基づいて伝送され得る。
【０１００】
ワイヤレスネットワーク管理のための方法およびシステムを説明してきた。本発明の実施形態は、特定の例示的な実施形態を参照して説明してきたが、本発明の実施形態のより広い精神および範囲から逸脱することなく、これらの実施形態に多様な変形および変更が行われ得ることは明らかであろう。したがって、仕様および図面は、制限の意味ではなく、例示として認識するものである。
【図１】
0005456061.tif 000002
【図２】
0005456061.tif 000003
【図３】
0005456061.tif 000004
【図４】
0005456061.tif 000005
【図５】
0005456061.tif 000006
【図６】
0005456061.tif 000007
【図７】
0005456061.tif 000008
【図８】
0005456061.tif 000009
【図９】
0005456061.tif 000010
【図１０】
0005456061.tif 000011
【図１１】
0005456061.tif 000012